(57)【要約】【課題】エネルギー損失を抑制して高効率化を実施上有効に図り得る油圧式動力伝達装置を提供する。【解決手段】油圧式動力伝達装置Ａは、両方向に圧油を吐出可能な油圧ポンプ３と、この油圧ポンプに並列に接続された複数の油圧モータ６，７とを備える。複数の油圧モータのうちの少なくとも１つの油圧モータは可変容量形のものであり、複数の油圧モータの出力軸６ａ，７ａは共通の部材９に動力伝達可能に接続されている。そして、可変容量形の１つの油圧モータ６を、容量を零にまで変更可能な電子制御式のものにし、この油圧モータの容量が零のとき油圧ポンプからこの油圧モータに対する圧油の供給を遮断する遮断弁１５を備える。この遮断弁は、その遮断位置で油圧モータの出入口両側を連通する。【選択図】図１
2007247821.tif 000002
【特許請求の範囲】
【請求項１】
両方向に圧油を吐出可能な油圧ポンプと、この油圧ポンプに並列に接続された複数の油圧モータとを備え、上記複数の油圧モータのうちの少なくとも１つの油圧モータは可変容量形のものであり、複数の油圧モータの出力軸は共通の部材に動力伝達可能に接続されてなる油圧式動力伝達装置において、
上記可変容量形の１つの油圧モータは、容量を零にまで変更可能な電子制御式のものであり、この油圧モータの容量が零のとき上記油圧ポンプからこの油圧モータに対する圧油の供給を遮断する遮断弁を備えており、この遮断弁は、その遮断位置で油圧モータの出入口両側を連通する構成になっていることを特徴とする油圧式動力伝達装置。
【請求項２】
油圧ポンプに並列に接続された油圧モータは２つでかつ共に可変容量形のものであり、そのうちの一方の油圧モータは、容量を零にまで変更可能な電子制御式のものであり、他方の油圧モータは、容量を零にまで変更不能な油圧制御式のものである請求項１記載の油圧式動力伝達装置。
【請求項３】
上記遮断弁は、その遮断位置で油圧モータの主として使用する回転方向の入口側のみ遮断し、出口側と油圧ポンプ側との連通を維持するように設けられている請求項１又は２記載の油圧式動力伝達装置。
【請求項４】
上記油圧モータの主として使用する回転方向の出口側と油圧ポンプへの戻り管路との間には遮断弁と並列にチェック弁が設けられている請求項１又は２記載の油圧式動力伝達装置。
【請求項５】
上記油圧モータの主として使用する回転方向の出口側と油圧ポンプへの戻り管路との間には遮断弁と並列に背圧弁が設けられている請求項１又は２記載の油圧式動力伝達装置。
【請求項６】
上記電子制御式の可変容量形油圧モータの出力軸と共通の部材との間にはクラッチが設けられている請求項１〜５のいずれか１つに記載の油圧式動力伝達装置。
【発明の詳細な説明】
【技術分野】
【０００１】
本発明は、走行式クレーンなどの作業機械の走行駆動系やウインチ駆動系などに装備される油圧式動力伝達装置に関する。
【背景技術】
【０００２】
従来、この種の油圧式動力伝達装置として、例えば特許文献１に開示されるように、エンジンにより駆動され両方向に圧油を吐出可能な油圧ポンプと、この油圧ポンプに並列に接続された複数の可変容量形の油圧モータと、この複数の油圧モータの出力軸とそれぞれ歯車などを介して動力伝達可能に接続された共通の回転軸とを備え、回転軸の回転速度を低速から高速に変更する場合上記複数の油圧モータの容量をいずれも最大値にした状態から１つの油圧モータの容量を低減し、それが最小値になったとき他の油圧モータの容量を低減するようにしたものは知られている。
【０００３】
ところで、油圧モータの容量が最小値になったときその油圧モータは実質的な仕事をしないにも拘わらず回転し続けるため、エネルギー損失の原因になるという問題がある。この問題を解決するために、上記例示の特許文献１には、油圧モータの出力軸と共通の回転軸との間にクラッチを設け、油圧モータの容量が最小値になったときクラッチを切り離すことが開示されている。
【特許文献１】特開２００１−２００９０７号公報
【発明の開示】
【発明が解決しようとする課題】
【０００４】
しかし、上記クラッチは、単価が比較的に高くかつ重量物でもあるため、これにより装置のコストアップ及び重量増加を招く原因になる。また、クラッチの切り替え時、特に接続時にショックが発生するという欠点もある。
【０００５】
さらに、クラッチを切り離したときでも油圧モータが回転し続けることがある。すなわち、作業機械に装備される油圧式動力伝達装置の場合可変容量形の油圧モータとしては、従来、傾転角つまり容積が油圧で変更制御される油圧制御式のものが多く使用されているが、この油圧制御式の可変容量形油圧モータの場合、容量の最小値が零にならない構成になっているのが一般的である。このため、油圧制御式油圧モータの容量を最小値にしかつクラッチを切り離したときでも、容量最小値の油圧モータにも油圧ポンプからの圧油が容量最小値分流れ、油圧モータの出力軸が回転し続けることになり、その分エネルギー損失が生じることになる。
【０００６】
本発明はかかる点に鑑みてなされたものであり、その課題とするところは、上記クラッチの代わりに、あるいはこれと併用して、１つの可変容量形油圧モータの容量が最小値になったときその油圧モータへの圧油の供給を遮断することにより、エネルギー損失を抑制して高効率化を実施上有効に図り得る油圧式動力伝達装置を提供せんとするものである。
【課題を解決するための手段】
【０００７】
上記の課題を解決するため、請求項１に係る発明は、油圧式動力伝達装置として、両方向に圧油を吐出可能な油圧ポンプと、この油圧ポンプに並列に接続された複数の油圧モータとを備え、上記複数の油圧モータのうちの少なくとも１つの油圧モータは可変容量形のものであり、複数の油圧モータの出力軸は共通の部材に動力伝達可能に接続されてなることを前提とする。そして、上記可変容量形の１つの油圧モータを、容量を零にまで変更可能な電子制御式のものにし、この油圧モータの容量が零のとき上記油圧ポンプからこの油圧モータに対する圧油の供給を遮断する遮断弁を備える。また、この遮断弁を、その遮断位置で油圧モータの出入口両側を連通する構成にする。
【０００８】
この構成では、共通の部材の回転速度を低速から高速に変更する過程で可変容量形の１つの油圧モータの容量が低減されて零になったときには、油圧ポンプからこの油圧モータに対する圧油の供給が遮断弁により遮断されるため、この油圧モータが共通の部材からの回転力により回転を継続しても圧力が低下した状態で行われることになり、この油圧モータの回転に伴うトルク損失ないしエネルギー損失が減少する。しかも、遮断弁の切り替えは、油圧モータの容量が零で遮断弁での流量も零のときに行われるため、フローフォースが作用することなく円滑に行われることになる。
【０００９】
その上、上記遮断弁が遮断位置に切り替えられているときこの遮断弁により圧油の供給が遮断されている油圧モータの出入口両側は遮断弁を通して連通されているため、油圧モータ内に作動油を確保して適正な潤滑を行うことができる。また、遮断弁が遮断位置に切り替えられているときにこの遮断弁により圧油の供給が遮断されている油圧モータが誤作動により容量が零から増加した場合などでも、この油圧モータの出入口両側と遮断弁との間のショートサーキット内で作動油が循環するため、高圧が発生したり、キャビテーションが発生したりすることはない。
【００１０】
請求項２に係る発明は、請求項１記載の油圧式動力伝達装置において、１つの好ましい具体的な形態を提供するものである。すなわち、油圧ポンプに並列に接続された油圧モータは２つでかつ共に可変容量形のものであり、そのうちの一方の油圧モータは、容量を零にまで変更可能な電子制御式のものであり、他方の油圧モータは、容量を零にまで変更不能な油圧制御式のものである構成にする。この構成では、油圧ポンプに並列に接続された２つの可変容量形の油圧モータの容量を順に変更することにより、回転速度の広い範囲に亘って動力伝達を効率良く行うことができる。その上、電気系の故障により電子制御式の油圧モータが制御不能で容量が零になった場合でも他の油圧制御式の油圧モータは容量が零になることはないので、最低限の動力を共通の部材に伝達することができる。
【００１１】
請求項３に係る発明は、請求項１又は２記載の油圧式動力伝達装置において、上記遮断弁を、その遮断位置で油圧モータの主として使用する回転方向の入口側のみ遮断し、出口側と油圧ポンプ側との連通を維持するように設ける構成にする。この構成では、遮断弁により油圧モータに対する圧油の供給を遮断している場合この遮断弁は油圧モータの主として使用する回転方向の入口側のみを遮断し、出口側と油圧ポンプ側との連通が維持されているため、油圧モータ内の作動油がリークしたときでも油圧モータ内に作動油が出口側から補充され、適正な潤滑状態が確保されることになる。しかも、この油圧モータの出口側の圧力は、油圧ポンプの吸い込み圧が負荷されるだけで低圧であるため、遮断弁によるエネルギー損失の低減効果を阻害することはない。また、遮断弁が遮断位置に切り替えられているときに油圧モータの誤作動により容量が零から増加した場合などでも油圧モータの出口側で高圧が発生したり、キャビテーションが発生したりすることはない。
【００１２】
請求項４に係る発明は、請求項１又は２記載の油圧式動力伝達装置において、上記油圧モータの主として使用する回転方向の出口側と油圧ポンプへの戻り管路との間に、遮断弁と並列にチェック弁を設ける構成にする。この構成では、請求項１に係る発明の場合と同じく遮断弁が遮断位置に切り替えられているときに油圧モータの誤作動により容量が零から増加した場合などにはこの油圧モータの出入口両側と遮断弁との間のショートサーキット内で作動油が循環するが、この作動油が内部リークしたときでも油圧ポンプへの戻り管路側からチェック弁を通して作動油の補充が行われるため、キャビテーションの発生が確実に防止される。
【００１３】
請求項５に係る発明は、請求項１又は２記載の油圧式動力伝達装置において、上記油圧モータの主として使用する回転方向の出口側と油圧ポンプへの戻り管路との間に、遮断弁と並列に背圧弁を設ける構成にする。この構成では、遮断弁が遮断位置に切り替えられているときこの遮断弁により圧油の供給が遮断されている油圧モータの出入口両側は遮断弁を通して連通され、油圧モータ内に作動油が確保されるだけでなく、この油圧モータの出口側圧力は、油圧ポンプの吸い込み圧から背圧弁の差圧値を差し引いた値に制御されるため、油圧モータに対しより適正な潤滑を行うことができる。また、遮断弁が遮断位置に切り替えられているときに油圧モータの誤作動により容量が零から増加した場合などにはこの油圧モータの出入口両側と遮断弁との間のショートサーキット内で作動油が循環するが、この作動油が内部リークしたときでも油圧ポンプへの戻り管路側から背圧弁を通して作動油の補充が行われるため、キャビテーションの発生が確実に防止される。
【００１４】
請求項６に係る発明は、請求項１〜５のいずれか１つに記載の油圧式動力伝達装置において、上記電子制御式の可変容量形油圧モータの出力軸と共通の部材との間にクラッチを設ける構成にする。この構成では、電子制御式の可変容量形油圧モータの容量が低減されて零になったとき、この油圧モータに対する圧油の供給を遮断弁により遮断することと併せて、上記クラッチを切り離して油圧モータの出力軸の回転を停止させることにより、容量零の油圧モータによるエネルギー損失を全く無くすことができる。
【発明の効果】
【００１５】
以上のように、本発明の油圧式動力伝達装置によれば、可変容量形の１つの油圧モータの容量が低減されて零になったときにはこの油圧モータに対する圧油の供給が遮断弁により遮断されるため、この油圧モータが共通の部材からの回転力により回転を継続しても圧力が低下した状態で行われることになり、この油圧モータの回転に伴うエネルギー損失を低減することができ、高効率化を図ることができる。しかも、遮断弁の切り替え時にフローフォースが作用することはなく、切り替えを円滑に行うことができる上、遮断弁が遮断位置に切り替えられているときでも油圧モータの出入口両側は遮断弁を通して連通されているため、油圧モータ内に作動油を確保して適正な潤滑を行うことができる。また、遮断弁が遮断位置に切り替えられているときに油圧モータが誤作動により容量が零から増加した場合などでも、この油圧モータの出入口両側と遮断弁との間のショートサーキット内で作動油が循環するため、高圧が発生したり、キャビテーションが発生したりすることはなく、実施化を図る上で非常に有効なものである。
【００１６】
特に、請求項２に係る発明では、油圧ポンプに並列に接続された２つの可変容量形の油圧モータの容量を順に変更することにより、回転速度の広い範囲に亘って動力伝達を効率良く行うことができる上、電気系の故障により電子制御式の油圧モータが回転不能になった場合でも他の油圧制御式の油圧モータによって最低限の動力を伝達することができるので、故障対策上でも有効なものである。
【００１７】
請求項３に係る発明では、遮断弁により油圧モータに対する圧油の供給を遮断している場合この遮断弁は油圧モータの主として使用する回転方向の入口側のみを遮断し、出口側と油圧ポンプ側との連通が維持されているため、油圧モータ内の作動油がリークしたときでも油圧モータ内に作動油を出口側から補充して適正な潤滑状態を確保することができる。しかも、油圧モータの出口側の圧力は、油圧ポンプの吸い込み圧が負荷されるだけで低圧であるため、遮断弁によるエネルギー損失の低減効果を阻害することはなく、また、遮断弁が遮断位置に切り替えられているときに油圧モータの誤作動により容量が零状態から増加した場合などでも油圧モータの出口側で高圧が発生したり、キャビテーションが発生したりするのを確実に防止することができる。
【００１８】
請求項４に係る発明では、遮断弁が遮断位置に切り替えられているときに油圧モータの誤作動により容量が零から増加した場合などにこの油圧モータの出入口両側と遮断弁との間のショートサーキット内で循環する作動油が内部リークしたときでも油圧ポンプへの戻り管路側からチェック弁を通して作動油の補充が行われるため、キャビテーションの発生を確実に防止することができる。
【００１９】
請求項５に係る発明では、遮断弁が遮断位置に切り替えられているとき油圧モータの出入口両側が遮断弁を通して連通して油圧モータ内に作動油が確保されるだけでなく、この油圧モータの出口側圧力は、油圧ポンプの吸い込み圧から背圧弁の差圧値を差し引いた値に制御されるため、より適正な潤滑を行うことができる。また、遮断弁が遮断位置に切り替えられているときに油圧モータの誤作動により容量が零から増加した場合などにこの油圧モータの出入口両側と遮断弁との間のショートサーキット内で循環する作動油が内部リークしたときでも油圧ポンプへの戻り管路側から背圧弁を通して作動油の補充が行われるため、キャビテーションの発生を確実に防止することができる。
【００２０】
さらに、請求項６に係る発明では、電子制御式の可変容量形油圧モータの容量が低減されて零になったとき、この油圧モータに対する圧油の供給を遮断弁により遮断することと併せて、油圧モータの出力軸と共通の部材との間に設けたクラッチを切り離して油圧モータの出力軸の回転を停止させることにより、容量零の油圧モータによるエネルギー損失を全く無くすことができるので、高効率化を一層図ることができる。
【発明を実施するための最良の形態】
【００２１】
以下、本発明を実施するための最良の形態である実施形態を図面に基づいて説明する。
【００２２】
（第１の実施形態）
図１は本発明の第１の実施形態に係る油圧式動力伝達装置Ａの全体構成を示し、この動力伝達装置Ａは、作業機械の走行駆動系に装備されるものであって、エンジン１にパワーディバイダー２を介して駆動連結され両方向に圧油を吐出可能な可変容量形の油圧ポンプ３と、この油圧ポンプ３に主管路４，５を介して並列に接続された２つの油圧モータ６，７とを備えている。この両油圧モータ６，７の出力軸６ａ，７ａは、歯車などからなるパワーコンバイン８を介して共通の部材である回転軸９に動力伝達可能に接続されており、この回転軸９は、差動装置１０などを介して左右のハブ１１，１１及び車輪１２，１２を駆動するようになっている。
【００２３】
上記２つの油圧モータ６，７は共に可変容量形のものであって、そのうちの一方の油圧モータ６は、傾転角ないし容積が電流値で変更制御される電子制御式のもので、その容積は零にまで変更可能になっている。他方の油圧モータ７は、傾転角ないし容積が油圧で変更制御される油圧制御式のもので、その容積は零にまで変更できない構成になっている。
【００２４】
上記主管路４，５は、油圧モータ６，７側で各々２つずつ計４つに分岐され、４つの分岐管路４ａ，４ｂ，５ａ，５ｂは、それぞれ対応する油圧モータ６，７の出入口に接続されている。この４つの分岐管路４ａ，４ｂ，５ａ，５ｂのうち、電子制御式の油圧モータ６の出入口両側に接続された分岐管路４ａ，５ａにはこの油圧モータ６の容積が零のとき上記油圧ポンプ３からこの油圧モータ６に対する圧油の供給を遮断する遮断弁１５が設けられている。この遮断弁１５は、図２に拡大詳示するように、電磁式の４ポート２位置切換弁からなり、遮断位置ロでは油圧モータ６側のＡポートとＢポートとが連通して油圧モータ６の出入口両側を連通するようになっている。
【００２５】
上記電子制御式の油圧モータ６の電子制御部６ｂは、コントローラ１６により制御される。また、油圧制御式の油圧モータ７の油圧制御部７ｂの電気部（例えばパイロット弁の電磁部など）及び遮断弁１５の電磁部なども同じくコントローラ１６により制御される。このコントローラ１６の制御は、例えば車輪１２の回転速度ひいては作業機械の走行速度を低速から高速に変更する場合、図３に示すフローチャートに従って行われる。
【００２６】
すなわち、図３において、スタートした後、先ず、ステップＳ１で電子制御式の油圧モータ（以下、ＥＰモータという）６及び油圧制御式の油圧モータ（以下、ＨＡモータという）７の容量を共に最大に設定した後、ステップＳ２でＨＡモータ７の容量を最大に維持しつつＥＰモータ６の容量を低減する。続いて、ステップＳ３でＥＰモータ６の容量が零であるか否かを判定し、判定がＮＯのときにはステップＳ２に戻り、判定がＹＥＳのときにはステップＳ４へ移行する。
【００２７】
そして、ステップＳ４では遮断弁１５を連通位置イから遮断位置ロに切り替える。しかる後、ステップＳ５でＨＡモータ７の容量を低減し、ステップＳ６でＨＡモータ７の容量を最小にして最高速度を実現し、制御を終了する。
【００２８】
ここで、走行速度の変化に対するＨＡモータ７の容量制御及びＥＰモータ６の容量制御は、それぞれ図４（ａ）及び（ｂ）に示すものであり、この両モータ６，７の容量を合計した容量制御は、図４（ｃ）に示すものになる。
【００２９】
従って、上記油圧式動力伝達装置Ａにおいては、作業機械の走行速度を低速から高速に変更する過程でＥＰモータ６の容量が低減されて零になったときには、遮断弁１５が連通位置イから遮断位置ロに切り替えられ、油圧ポンプ３からＥＰモータ６に対する圧油の供給が遮断されるため、このＥＰモータ６が回転軸９からの回転力により回転を継続しても圧力が低下した状態で回転することになる。この結果、ＥＰモータ６の回転に伴うエネルギー損失を低減することができ、高効率化を図ることができる。しかも、遮断弁１５の切り替えは、ＥＰモータ６の容量が零で遮断弁１５での流量も零のときに行われるため、フローフォースが作用することはなく円滑に行うことができる。
【００３０】
その上、上記遮断弁１５が遮断位置ロに切り替えられているときでもＥＰモータ６の出入口両側は遮断弁１５を通して連通されているため、ＥＰモータ６内に作動油を確保して適正な潤滑を行うことができる。また、遮断弁１５が遮断位置ロに切り替えられているときにＥＰモータ６が誤作動により容量が零から増加した場合、又はＥＰモータ６の容量が零でないときに遮断弁１５が誤作動により遮断位置ロに切り替えられた場合でも、ＥＰモータ６の出入口両側と遮断弁１５との間のショートサーキット内で作動油が循環するため、高圧が発生したり、キャビテーションが発生したりすることはない。
【００３１】
さらに、本実施形態の場合、ＥＰモータ６の容量が零になった後、ＨＡモータ７の容量を低減するようにしているため、走行速度の広い範囲に亘って動力伝達を効率良く行うことができる。また、電気系の故障によりＥＰモータ６が制御不能で容量が零になった場合でもＨＡモータ７の容量が零になることはないので、最低限の動力を共通の回転軸９ないし車輪１２に伝達することができ、故障対策上でも有効である。
【００３２】
（第２の実施形態）
図５は本発明の第２の実施形態に係る油圧式動力伝達装置Ｂの全体構成を示す。この動力伝達装置Ｂの基本構成は、第１の実施形態に係る動力伝達装置Ａの場合と同じであり、同一部材には同一符号を付してその説明は省略する。
【００３３】
そして、第１の実施形態のものとの相違点は、ＥＰモータ６の容量が零のとき油圧ポンプ３からこのＥＰモータ６に対する圧油の供給を遮断する遮断弁２０の構造である。すなわち、この遮断弁２０は、図６に拡大詳示するように、第１の実施形態における遮断弁１５の場合と同じく、電磁式の４ポート２位置切換弁からなるが、遮断位置ロではＥＰモータ６側のＡポートとＢポートとが連通してＥＰモータ６の出入口両側を連通するとともに、ＥＰモータ６の主として使用する前進回転方向の入口側のＰポートとＡポートとの間のみを遮断し、出口側のＢポートとＲポートとの間を連通させてＥＰモータ６の出口側と油圧ポンプ３側との連通を維持するように構成されている。
【００３４】
従って、上記油圧式動力伝達装置Ｂにおいては、その基本構成が第１の実施形態の場合のそれと同じであるため、同様な作用効果を奏するのは勿論のこと、以下のような効果をも奏する。
【００３５】
すなわち、上記遮断弁２０によりＥＰモータ６に対する圧油の供給を遮断している場合この遮断弁２０はＥＰモータ６の主として使用する前進回転方向の入口側のみを遮断し、出口側と油圧ポンプ３側との連通が維持されているため、ＥＰモータ６内の作動油がリークしたときでもＥＰモータ６内に作動油が出口側から補充されることになり、適正な潤滑状態を確保することができる。しかも、このＥＰモータ６の出口側の圧力は、油圧ポンプ３の吸い込み圧が負荷されるだけで低圧であるため、遮断弁２０によるエネルギー損失の低減効果を阻害することはない。また、遮断弁２０が遮断位置ロに切り替えられているときにＥＰモータ６の誤作動により容量が零から増加した場合などでもＥＰモータ６の出口側で高圧が発生したり、キャビテーションが発生したりするのを第１の実施形態の場合よりも確実に防止することができる。
【００３６】
尚、本実施形態では、走行時のうち、前進時にのみ遮断弁２０によるエネルギー損失の低減効果を発揮し、後退時にはその効果を発揮することはできないが、走行時間中に占める後退時間の割合からは殆ど問題ではない。
【００３７】
（第３の実施形態）
図７は本発明の第３の実施形態に係る油圧式動力伝達装置Ｃの全体構成を示す。この動力伝達装置Ｃの基本構成は、第１の実施形態に係る動力伝達装置Ａの場合と同じであり、同一部材には同一符号を付してその説明は省略する。
【００３８】
そして、第１の実施形態のものとの相違点は、ＥＰモータ６の主として使用する前進回転方向の出口側と油圧ポンプ３への戻り管路である主管路５の分岐管路５ａとの間に、遮断弁１５と並行でＥＰモータ６への流入を許容するチェック弁２２が設けられていることのみである。
【００３９】
また、この相違点により、上記動力伝達装置Ｃにおいては、遮断弁１５が遮断位置ロに切り替えられているときにＥＰモータ６が誤作動により容量が零から増加した場合などには、第１の実施形態の場合と同じくＥＰモータ６の出入口両側と遮断弁１５との間のショートサーキット内で作動油が循環するが、この作動油が内部リークしたときでも主管路５の分岐管路５ａ側からチェック弁２２を通して作動油の補充が行われるため、キャビテーションの発生を第１の実施形態の場合よりも確実に防止することができる。
【００４０】
（第４の実施形態）
図８は本発明の第４の実施形態に係る油圧式動力伝達装置Ｄの全体構成を示す。この動力伝達装置Ｄの基本構成は、第１の実施形態に係る動力伝達装置Ａの場合と同じであり、同一部材には同一符号を付してその説明は省略する。
【００４１】
そして、第１の実施形態のものとの相違点は、ＥＰモータ６の主として使用する前進回転方向の出口側と油圧ポンプ３への戻り管路である主管路５の分岐管路５ａとの間に、遮断弁１５と並行でＥＰモータ６への流入を許容する背圧弁２４が設けられていることのみである。
【００４２】
また、この相違点により、上記動力伝達装置Ｄにおいては、遮断弁１５が遮断位置ロに切り替えられているときＥＰモータ６の出入口両側は遮断弁１５を通して連通され、ＥＰモータ６内に作動油が確保されるだけでなく、このＥＰモータ６の出口側圧力は、油圧ポンプ３の吸い込み圧から背圧弁２４の差圧値を差し引いた値に制御されるため、第１の実施形態の場合よりもＥＰモータ６に対し適正な潤滑を行うことができる。また、遮断弁１５が遮断位置ロに切り替えられているときにＥＰモータ６の誤作動により容量が零から増加した場合などには、第１の実施形態の場合と同じくＥＰモータ６の出入口両側と遮断弁１５との間のショートサーキット内で作動油が循環するが、この作動油が内部リークしたときでも主管路５の分岐管路５ａ側から背圧弁２４を通して作動油の補充が行われるため、キャビテーションの発生を第１の実施形態の場合よりも確実に防止することができる。
【００４３】
（第５の実施形態）
図９は本発明の第５の実施形態に係る油圧式動力伝達装置Ｅの全体構成を示す。この動力伝達装置Ｅの基本構成は、第１の実施形態に係る動力伝達装置Ａの場合と同じであり、同一部材には同一符号を付してその説明は省略する。
【００４４】
そして、第１の実施形態のものとの相違点は、ＥＰモータ６の出力軸６ａとパワーコンバイン８との間にクラッチ２６が設けられていることのみである。
【００４５】
また、この相違点により、上記動力伝達装置Ｅにおいては、作業機械の走行速度を低速から高速に変更する過程でＥＰモータ６の容量が低減されて零になったとき、このＥＰモータ６に対する圧油の供給を遮断弁１５により遮断することと併せて、上記クラッチ２６を切り離してＥＰモータ６の出力軸６ａの回転を停止させることにより、ＥＰモータ６によるエネルギー損失を全く無くすことができるので、第１の実施形態の場合よりも高効率化を一層図ることができる。
【００４６】
尚、本発明は上記第１ないし第５の実施形態に限定されるものではなく、その他種々の形態を包含するものである。例えば上記各実施形態では、いずれも油圧ポンプ３に並列に接続された２つの可変容量形の油圧モータ６，７を備えた油圧式動力伝達装置Ａ〜Ｅについて述べたが、本発明は、油圧モータの個数が２つの場合に限らず、３つ以上の場合でもよい。また、その場合、全ての油圧モータが可変容量形のものである必要はなく、少なくとも１つの油圧モータが可変容量形のものであればよい。
【００４７】
さらに、上記各実施形態の油圧式動力伝達装置Ａ〜Ｅは、いずれも作業機械の走行駆動系に装備されるものについて述べたが、本発明は、走行式クレーンなどのウインチ駆動系に装備されるものにも同様に適用することができる。この場合、複数の油圧モータの出力軸が動力伝達可能に接続される共通の部材としては、ウインチの駆動軸に限らず、ウインチのドラムなどでもよい。また、ウインチ駆動系に装備される油圧式動力装置の場合、油圧モータの主として使用する回転方向としては巻上方向又は巻下方向のいずれもよい。
【図面の簡単な説明】
【００４８】
【図１】本発明の第１の実施形態に係る油圧式動力伝達装置の全体構成図である。
【図２】図１のＸ付近の拡大図である。
【図３】コントローラの制御内容を示すフローチャート図である。
【図４】モータの容量と走行速度と関係を示す特性図であり、（ａ）はＨＡモータの場合を示し、（ｂ）はＥＰモータの場合を示し、（ｃ）は両モータ合計の場合を示す。
【図５】第２の実施形態を示す図１相当図である。
【図６】図５のＹ付近の拡大図である。
【図７】第３の実施形態を示す図１相当図である。
【図８】第４の実施形態を示す図１相当図である。
【図９】第５の実施形態を示す図１相当図である。
【符号の説明】
【００４９】
Ａ〜Ｅ    油圧式動力伝達装置
３    油圧ポンプ
４，５    主管路
６    油圧モータ（ＥＰモータ）
７    油圧モータ（ＨＡモータ）
６ａ，７ａ    出力軸
９    回転軸（共通の部材）
１５，２０    遮断弁
１６    コントローラ
２２    チェック弁
２４    背圧弁
２６    クラッチ
【図１】
2007247821.tif 000003
【図２】
2007247821.tif 000004
【図３】
2007247821.tif 000005
【図４】
2007247821.tif 000006
【図５】
2007247821.tif 000007
【図６】
2007247821.tif 000008
【図７】
2007247821.tif 000009
【図８】
2007247821.tif 000010
【図９】
2007247821.tif 000011